(57)【要約】【課題】製品に携わるサプライチェーン上のすべての業者に利便性を与えかつ収集効率を大きく改善することが可能な製品含有物質情報収集装置を提供すること。【解決手段】供給品リストおよび物質リストのファイルをマスター情報として管理し、供給品を構成する部品・部材の購入先二次供給業者を特定する二次供給業者情報および該供給品を特定する購入部材リストを登録・管理し、これにより各二次供給業者ごとに関係する部品・部材を抽出して調査依頼データを出力し、調査依頼データに対応してある二次供給業者が入力した部品・部材の階層構成情報と物質含有量情報とを含む情報を取込み、供給品を「供給品−構成品−物質」という階層情報により把握して登録・管理し、供給品リストファイル、物質リストファイル、登録された階層情報に基づいて、ある供給品について上記階層の情報の出力、および該階層情報における物質の含有量の算出を行う。【選択図】図１
2007018384.tif 000002
【特許請求の範囲】
【請求項１】
供給品に関する情報である供給品リストファイルおよび化学物質に関する情報である物質リストファイルをマスター情報として保持・管理するマスター情報管理部と、
前記供給品を構成する部品・部材の購入先となる二次供給業者を特定する二次供給業者情報および該供給品を特定する情報である購入部材リストを登録・管理する購入部材情報管理部と、
前記登録された二次供給業者情報および購入部材リストより、各二次供給業者ごとにその関係する部品・部材を抽出して調査依頼データを出力する調査依頼データ出力管理部と、
前記出力された調査依頼データに対応してある二次供給業者が入力したその関係する部品・部材の階層構成情報と物質含有量情報とを含む購入部材基本情報を取込む購入部材基本情報取込管理部と、
前記供給品を、「供給品−構成品−物質」という多階層構成により把握することにより、前記供給品から物質に至る、物質含有量情報を含む階層情報を登録・管理するための階層情報登録管理部と、
前記供給品リストファイル、前記物質リストファイル、および前記登録された階層情報に基づいて、ある供給品について前記「供給品−構成品−物質」の階層情報の出力と該階層情報における物質の含有量の算出とを行う供給品情報表示管理部と
を具備することを特徴とする製品含有物質情報収集装置。
【請求項２】
前記階層情報登録管理部が、前記多階層構成の階層ごとに個別に登録可能に構成されていることを特徴とする請求項１記載の製品含有物質情報収集装置。
【請求項３】
前記階層情報登録管理部が、
前記供給品を特定する情報、前記供給品を構成する構成品あるいは化学物質を特定する情報、ならびに、該構成品の員数、含有量あるいは含有率、および前記供給品の質量を登録する供給品情報登録部と、
構成品を特定する情報、構成品を構成する下位層部品・部材あるいは化学物質を特定する情報、ならびに、該下位層部品・部材の員数、含有量あるいは含有率、および該構成品の質量を登録する構成品情報登録部とを含むこと
を特徴とする請求項１記載の製品含有物質情報収集装置。
【請求項４】
前記供給品情報登録部および構成品情報登録部が、当該層の構成要素となる下位階層の部品・材料、あるいは化学物質をキーワード検索により表示し、選択した部品・材料、あるいは化学物質を構成要素として登録するように構成されたことを特徴とする請求項３記載の製品含有物質情報収集装置。
【請求項５】
前記購入部材基本情報取込管理部が、各階層ごとに階層情報を登録する各階層の情報登録部として、購入部材を特定する情報、前記購入部材を構成する構成品あるいは化学物質を特定する情報、ならびに、該構成品の員数、含有量、および該購入部材の質量を登録した情報を一括で取込む購入部材基本情報登録部を含むことを特徴とする請求項１記載の製品含有物質情報収集装置。
【請求項６】
前記階層情報情報登録管理部または前記購入部材基本情報取込管理部が、前記構成品または前記購入部材の付属情報として任意の情報の付加が可能な構成であることを特徴とする請求項３または５記載の製品含有物質情報収集装置。
【請求項７】
前記購入部材基本情報取込管理部が、ＪＧＰＳＳＩ形式、あるいはその他外部ファイルでの購入部材の環境情報を取込可能に構成されていることを特徴とする請求項５項に記載の製品含有物質情報収集装置。
【請求項８】
前記階層情報登録管理部が、外部ファイルを取込むことが可能な構成であることを特徴とする請求項１項に記載の製品含有物質情報収集装置。
【請求項９】
前記調査依頼データが、マスター情報ファイル、階層情報ファイルを含み、該マスター情報ファイルの供給品リストマスターには二次供給業者より購入している購入部品・部材情報が登録され、前記マスター情報ファイルの物質リストマスターには供給業者向けと同一の物質情報が登録され、前記階層情報ファイルには購入部材の階層情報が登録され得ることを特徴とする請求項８に記載の製品含有物質情報収集装置。
【請求項１０】
前記供給品情報表示管理部が、前記「供給品−構成品−物質」の階層情報の出力としてツリービュー表示し、その個々の構成品においてその下位層の合計物質含有量を算出して表示できることを特徴とする請求項１記載の製品含有物質情報収集装置。
【請求項１１】
前記供給品情報表示管理部が、前記供給品リストファイル、前記物質リストファイル、および前記登録された階層情報に基づいて、前記調査依頼データに対応する調査回答データを出力する回答データ出力管理部を含むことを特徴とする請求項１記載の製品含有物質情報収集装置。
【請求項１２】
前記回答データ出力管理部が、外部ファイルを出力することが可能な構成であることを特徴とする請求項１１項記載の製品含有物質情報収集装置。
【請求項１３】
供給品に関する情報である供給品リストファイルおよび化学物質に関する情報である物質リストファイルをマスター情報として保持・管理し、
前記供給品を構成する部品・部材の購入先となる二次供給業者を特定する二次供給業者情報および該供給品を特定する情報である購入部材リストを登録・管理し、
前記登録された二次供給業者情報および購入部材リストより、各二次供給業者ごとにその関係する部品・部材を抽出して調査依頼データを出力し、
前記出力された調査依頼データに対応してある二次供給業者が入力したその関係する部品・部材の階層構成情報と物質含有量情報とを含む購入部材基本情報を取込み、
前記供給品を、「供給品−構成品−物質」という多階層構成により把握することにより、前記供給品から物質に至る、物質含有量情報を含む階層情報を登録・管理し、
前記供給品リストファイル、前記物質リストファイル、および前記登録された階層情報に基づいて、ある供給品について前記「供給品−構成品−物質」の階層情報の出力と該階層情報における物質の含有量の算出とを行うこと
を特徴とする製品含有物質情報収集方法。
【請求項１４】
供給品に関する情報である供給品リストファイルおよび化学物質に関する情報である物質リストファイルをマスター情報として保持・管理するステップと、
前記供給品を構成する部品・部材の購入先となる二次供給業者を特定する二次供給業者情報および該供給品を特定する情報である購入部材リストを登録・管理するステップと、
前記登録された二次供給業者情報および購入部材リストより、各二次供給業者ごとにその関係する部品・部材を抽出して調査依頼データを出力するステップと、
前記出力された調査依頼データに対応してある二次供給業者が入力したその関係する部品・部材の階層構成情報と物質含有量情報とを含む購入部材基本情報を取込むステップと、
前記供給品を、「供給品−構成品−物質」という多階層構成により把握することにより、前記供給品から物質に至る、物質含有量情報を含む階層情報を登録・管理するステップと、
前記供給品リストファイル、前記物質リストファイル、および前記登録された階層情報に基づいて、ある供給品について前記「供給品−構成品−物質」の階層情報の出力と該階層情報における物質の含有量の算出とを行うステップと
をコンピュータに実行させるための製品含有物質情報収集プログラム。
【発明の詳細な説明】
【技術分野】
【０００１】
本発明は、製品含有物質情報収集装置、製品含有物質情報収集方法、および製品含有物質情報収集プログラムに係り、特に、情報収集の効率化に好適な製品含有物質情報収集装置、製品含有物質情報収集方法、および製品含有物質情報収集プログラムに関する。
【背景技術】
【０００２】
環境問題が地球規模でクローズアップされている今日、製品メーカ等の企業においては環境負荷の少ない製品を生産するとともに、その製品の環境負荷を正確に把握し、消費者に分かりやすく伝達することは、企業の社会的責任であり、企業の存続に不可欠な必須項目となってきている。すなわち、製品メーカ等の企業は、製品等の部材を供給する場合に、その部材における環境情報を正確に把握、開示する必要が出てきた。
【０００３】
しかしながら、製品は単一素材から構成されることは稀で一般に数多くの階層的な構成品から構成される。ＰＣや自動車等の複雑な構成を有する製品を製造する場合における部材調達を例に図１６で説明する。図１６に示すように、複雑な製品Ｐａを製造する製品メーカＡは、製品Ｐａを構成する下位の製品Ｐｂ（Ｐｂ１〜Ｐｂｎ）を複数の製品メーカＢ（Ｂ１〜ＢＮ）から調達する。
【０００４】
例えば、製品メーカＡが自動車メーカである場合に、下位の製品Ｐｂは、ヘッドランプ、エンジン、ブレーキ装置等の、自動車用として特化され、かつ、多階層的な製品構成を有する自動車部品・装置であり、製品メーカＢは、それらの自動車部品・装置を製造し、顧客である自動車メーカに供給する製品供給業者である。
【０００５】
そして、下位の製品Ｐｂの各製品メーカＢは、そのメーカの製品Ｐｂを構成する部品・部材となるさらに下位の製品Ｐｃ（Ｐｃ１〜Ｐｃｍ）を、複数の製品メーカＣ（Ｃ１〜ＣＭ）から調達する。例えば、製品Ｐｂが、多階層的な製品構成を有する自動車用のヘッドランプである場合に、さらに下位の製品Ｐｃは、そのヘッドランプの製品構成に含まれる電線、ガラス、等の部材であり、製品メーカＣは、それらの部材を製造、供給する製品供給業者である。このような製品に関し環境情報の配慮・評価を行うための技術が提案されている（例えば下記特許文献１〜３参照）。
【０００６】
特許文献１に記載の「グリーン調達装置および記憶媒体」は、環境を配慮した製品を製造するための情報を自動的に提示し、かつ、環境の観点から調達先を選択し得る情報を自動的に提示するための技術である。この技術は、製品、部品、原材料、物質、調達先の評価をマスタに登録しておき、製品、部品、原材料、物質のいずれかの指定に応じてマスタを検索し、製品、部品、原材料、物質の環境適合度合いの評価、同一機能の部品／材料の調達先ごとの評価、および調達先ごとのグリーン製品納入比率の一覧を表示するものである。
【０００７】
特許文献２に記載の「環境情報シミュレーションシステムと装置および方法並びに記録媒体」は、製品の環境評価技術に関して、特に顧客に装置製品を提供する製品供給業者側において、製品中の所定の化学物質使用量等に関する環境情報を評価して出力するための技術である。この技術は、製品を構成する部品の環境情報をデータベースに登録しておき、製品の新規設計時に、登録された部品の環境情報を提供する。さらに、環境情報が登録されていない未登録部品については、登録されている同一品種または同一材料の部品の環境情報に対する平均化処理から、その未登録部品の環境情報の評価結果を算出、提供する。
【０００８】
特許文献３に記載の「製品構成情報管理支援システムと方法、およびそのためのプログラム」は、顧客側の管理方針に対応した環境情報を含む製品構成情報データを効率よく構築するための技術である。この技術は、環境管理業務に対応した「共通情報の登録」、開発・設計業務に対応した「製品階層情報の登録」、開発・設計の環境配慮型製品設計業務に対応した「製品情報の表示」、環境管理の報告書作成業務に対応した「帳票の出力」を、個別に実行可能とすることにより、各業務の作業を軽減するとともに、管理・改善に有効なデータを提供するものである。
【０００９】
ところが、このような製品の環境情報システムを構築して運用するためには、製品を構成する供給品の階層情報、環境情報の提供を供給業者に依頼、回答データを収集することが不可欠となる。一方、供給品の供給業者も、それを構成する構成品が自社製品だけではない場合は二次供給業者から購入する部品・部材の階層情報、環境情報を収集する必要がある。さらに、二次供給業者以下の下請供給業者も同様であり、下位層からのすべてのデータが必要となる。このように、製品の構成階層が深いほど、データの経由が多段となり、情報の収集時間が長くなってしまい、タイムリーな環境情報構築ができなくなってしまう。
【００１０】
製品を構成する供給品の環境情報を収集するための技術も提案されているが（下記特許文献４参照）、製品の階層情報の情報収集ができないことや二次供給業者以降の供給品に関する情報収集手段までは提案されていない。
【００１１】
特許文献４に記載の「環境配慮状況情報取得方法および環境配慮状況取得システムおよび環境配慮状況取得プログラムを記録した媒体」は、グリーン調達に必要なデータの収集をできるだけ簡易に収集できるようにするための技術である。この技術は、部材供給業者に各種環境配慮状況情報を入力可能な表形式のデータを提供、供給業者にてデータを追加したものを取得する方法を提供するものである。
【００１２】
また、調査回答フォームの共通化を目指し、日本国内の大手情報関連機器メーカを中心に発足したＪＧＰＳＳＩ（グリーン調達調査共通化協議会：Japan Green Procurement Survey Standardization Initiative）は、情報収集ツールを配布している。しかし、これでは部品の階層情報を収集することはできないし、当該ツールでは物質選択の自由度も低いため、調査したい物質情報を得ることがきない。図１７を参照願いたい。
【００１３】
要約すると、環境を配慮した部品・部材等の調達、すなわちグリーン調達が社会的に望まれるような背景において、各製品メーカ（セットメーカ）は自社製品に含有される構成情報・環境情報の収集を行っているが、なかなか進まないのが現状である。その理由は、下記に示す１〜７等の問題点があるからである。
【００１４】
（１）製品を構成する構成品の数が膨大な場合が多く、それら構成品を供給する複数の供給業者から供給品の環境情報を個々に収集し積算していく必要がある。
（２）供給業者が供給する供給品も複数の供給品で構成されている場合が多く、二次、三次…といった下位層の供給業者からの供給品の環境情報を収集・積算する必要があり、階層が深い供給品ほど、情報収集に膨大な時間を要する。
（３）供給業者においては供給品である自社製品の環境構成データをデータベース化しているケースがまだ多くない。したがって、上流の納入メーカからの問合せごとにデータを収集し始め、積算し回答するというケースが多く、効率が悪いため、回答納期を遅らせる原因となっている。
（４）供給業者には複数のセットメーカから同一製品に関する問合せがあるが、問合せフォーマットがセットメーカごとに異なり供給業者の利便性を考慮していないため、回答データの加工に時間がかかってしまう。
（５）従来の技術として、調査回答フォームの共通化を目的に作られたＪＧＰＳＳＩ調査フォームがあるが、以下の問題があり各セットメーカが独自フォーマットで回答を要求することになり、回答納期を遅らせる原因となっている。１）セットメーカが回答を得たい物質を自由に設定できないため、必要な物質情報の収集や絞り込みができない。２）供給品の階層構成情報を収集できない。３）不使用証明書や分析証明書などのファイルの添付ができない。
（６）また、セットメーカからＪＧＰＳＳＩ調査フォームで回答を要求された場合は、図１７に示すように調査を要求されている供給品“Ｘ”を構成する購入部材（Ｘａ１，Ｘａ２，・・・Ｘａｎ）を調査し、二次供給業者ごとに調査フォームを手入力で作成、各二次供給業者に調査を依頼する必要があり、手間である。また、二次供給業者から回答された購入部材ごと（Ｘａ１，Ｘａ２，・・・Ｘａｎ）調査データをセットメーカから依頼された調査フォームに手入力し回答する必要があり、ここでも手間がかかる。
（７）セットメーカが用意したデータベースにＷｅｂ認証供給業者がアクセスし供給品の環境情報データを入力する技術もある。しかしながら、データが入力できるのはＷｅｂ接続が許可された一次供給業者のみであり、二次供給業者以降の下位層供給業者は利用できないケースが多い。この場合は、供給業者が下位層供給業者からのデータを一旦、積算加工処理を行い入力する必要があり手間がかかる。また、一次供給業者においてもＷｅｂ接続が認可されていない業者はメディア、あるいは紙によるデータ受渡しとなり、セットメーカにてデータ加工が発生し手間がかかる。
【特許文献１】特開２００１−５６７０８号公報
【特許文献２】特開２００２−４９６４９号公報
【特許文献３】特開２００５−３１７６８号公報
【特許文献４】特開２００１−１６２２６１号公報
【発明の開示】
【発明が解決しようとする課題】
【００１５】
本発明は、上記した状況を考慮してなされたもので、従来のグリーン調達の運用における課題、特に製品の構成情報・環境情報の効率的収集という課題を踏まえ、製品に携わるサプライチェーン上のすべての業者に利便性を与えかつ収集効率を大きく改善することが可能な製品含有物質情報収集装置、製品含有物質情報収集方法、および製品含有物質情報収集プログラムを提供することを目的とする。
【課題を解決するための手段】
【００１６】
上記の課題を解決するため、本発明に係る製品含有物質情報収集装置は、供給品に関する情報である供給品リストファイルおよび化学物質に関する情報である物質リストファイルをマスター情報として保持・管理するマスター情報管理部と、前記供給品を構成する部品・部材の購入先となる二次供給業者を特定する二次供給業者情報および該供給品を特定する情報である購入部材リストを登録・管理する購入部材情報管理部と、前記登録された二次供給業者情報および購入部材リストより、各二次供給業者ごとにその関係する部品・部材を抽出して調査依頼データを出力する調査依頼データ出力管理部と、前記出力された調査依頼データに対応してある二次供給業者が入力したその関係する部品・部材の階層構成情報と物質含有量情報とを含む購入部材基本情報を取込む購入部材基本情報取込管理部と、前記供給品を、「供給品−構成品−物質」という多階層構成により把握することにより、前記供給品から物質に至る、物質含有量情報を含む階層情報を登録・管理するための階層情報登録管理部と、前記供給品リストファイル、前記物質リストファイル、および前記登録された階層情報に基づいて、ある供給品について前記「供給品−構成品−物質」の階層情報の出力と該階層情報における物質の含有量の算出とを行う供給品情報表示管理部とを具備することを特徴とする。
【００１７】
また、本発明に係る製品含有物質情報収集方法は、供給品に関する情報である供給品リストファイルおよび化学物質に関する情報である物質リストファイルをマスター情報として保持・管理し、前記供給品を構成する部品・部材の購入先となる二次供給業者を特定する二次供給業者情報および該供給品を特定する情報である購入部材リストを登録・管理し、前記登録された二次供給業者情報および購入部材リストより、各二次供給業者ごとにその関係する部品・部材を抽出して調査依頼データを出力し、前記出力された調査依頼データに対応してある二次供給業者が入力したその関係する部品・部材の階層構成情報と物質含有量情報とを含む購入部材基本情報を取込み、前記供給品を、「供給品−構成品−物質」という多階層構成により把握することにより、前記供給品から物質に至る、物質含有量情報を含む階層情報を登録・管理し、前記供給品リストファイル、前記物質リストファイル、および前記登録された階層情報に基づいて、ある供給品について前記「供給品−構成品−物質」の階層情報の出力と該階層情報における物質の含有量の算出とを行うことを特徴とする。
【００１８】
また、本発明に係る製品含有物質情報収集プログラムは、供給品に関する情報である供給品リストファイルおよび化学物質に関する情報である物質リストファイルをマスター情報として保持・管理するステップと、前記供給品を構成する部品・部材の購入先となる二次供給業者を特定する二次供給業者情報および該供給品を特定する情報である購入部材リストを登録・管理するステップと、前記登録された二次供給業者情報および購入部材リストより、各二次供給業者ごとにその関係する部品・部材を抽出して調査依頼データを出力するステップと、前記出力された調査依頼データに対応してある二次供給業者が入力したその関係する部品・部材の階層構成情報と物質含有量情報とを含む購入部材基本情報を取込むステップと、前記供給品を、「供給品−構成品−物質」という多階層構成により把握することにより、前記供給品から物質に至る、物質含有量情報を含む階層情報を登録・管理するステップと、前記供給品リストファイル、前記物質リストファイル、および前記登録された階層情報に基づいて、ある供給品について前記「供給品−構成品−物質」の階層情報の出力と該階層情報における物質の含有量の算出とを行うステップとをコンピュータに実行させる
【００１９】
これらの構成により、物質リスト情報と下位層供給業者の供給品情報リストとを下位層供給業者ごとに調査依頼フォームとして出力し、供給品情報として階層情報と環境情報を登録できるようにする。また、登録した調査依頼フォームは上位メーカが構成情報をもとに階層ごとに取込むことで製品の階層・環境情報の構築の支援できるようにする。また、収集機能を製品に携わるサプライチェーン上のすべての業者が利用できることを可能としておりデータ収集効率の向上が達成される。
【００２０】
換言すると、セットメーカにおいて、自社製品を構成する供給業者からの供給品に対し、供給業者ごとにその供給品を抽出し供給品リストを作成、またセットメーカにより選択された物質リストを合わせ、供給業者に供給品のデータ依頼を行うことで、供給品ごとにその自社が管理したい物質含有有無などの環境情報や階層情報の収集を可能とする。物質リストはセットメーカが自由に選択できるため、必要最小限の物質に絞り込んでの調査依頼が可能となり、供給業者の調査に要する負担を低減させることが可能となる。
【００２１】
また、供給業者が供給品を構成する下位層部材となる購入部品・部材購入先の二次供給業者の会社、担当者Ｅ−ＭＡＩＬアドレス等の業者特定情報を登録することができ、また、調査対象となる購入部品・部材を登録できるため、二次供給業者ごとの部品・部材抽出が容易になる。このため、二次供給業者ごとに部品を振り分け、個別に調査フォームに入力する手間が不要となり、一度に二次供給業者ごとに購入部品・部材の調査依頼を行うことが可能となる。
【００２２】
この際、二次供給業者の例えば担当者Ｅ−ＭＡＩＬアドレスが登録されていれば、メーラーを起動し、メールの添付ファイルとし調査依頼フォームを送付することが可能となる。また、前記調査依頼フォームに二次供給業者が部品・部材の階層構成情報、および環境情報を入力したデータを取込むことができるため、入手したデータを個別に加工し登録することなく、供給品の構成品としてインポートできる。そして、供給品リストに構成される構成品（部品・部材）の階層情報、および物質の含有情報を登録することにより、供給品の供給品構成情報データベースを構築することができ、この供給品構成情報データベースに登録された情報を用いることで、供給品ごとの階層情報、環境情報を出力することができる。
【００２３】
なお、本願における重要な用語の定義は次の通りである。
「製品」は、製品構成情報管理の対象となる製品を意味する。
「物質」は、固有の物質名を有し、化学式で表現される化学物質であり、環境管理の対象となるすべての化学物質を含む広い概念である。
「供給品」は、「製品」の一部または全部を構成する構成要素のうち、１種類もしくは複数種類の「購入部品・部材」および／または１種類もしくは複数種類の「物質」から構成された構成要素を意味する。
「購入部品・部材」は、下位供給業者からの「購入部品・部材」の一部または全部を構成する構成要素のうち、１種類もしくは複数種類の「購入部品・部材」および／または１種類もしくは複数種類の「物質」から構成された構成要素を意味する。
「供給品構成情報」は、多階層的な構成を有する供給品の構成に関する情報を意味しており、特に、各階層における構成情報や化学物質の含有量等の環境情報を含め、本願内容によりデータベース化される供給品構成に関する各種の情報を包括的に表現する概念である。
「購入部材情報」は、本願内容によりデータベース化される「供給品構成情報」のうち、二次供給業者、および二次供給業者より購入する購入部材の情報を意味する。
「マスター情報」は、本願内容によりデータベース化される「供給品構成情報」のうち、供給品リスト、および物質リストの情報を示す。
「階層情報情報」は、本願内容によりデータベース化される「供給品構成情報」のうち、階層情報を構築するための供給品情報、および構成品情報の情報を示す。
「購入部材基本情報取込情報」は、本願内容によりデータベース化される「供給品構成情報」のうち、下位層供給業者より回答があり本願内容のシステムに取込んだ購入部材の情報を示す。
「調査依頼データ情報」は、二次供給業者に調査を依頼するデータ情報を示す。
「供給品情報」は、セットメーカに回答する供給品の情報を示す。
「登録」は、情報を、半導体メモリ、磁気ディスク、バルクメモリ、ＣＤ−Ｒなどの、外部記憶装置あるいは内部記憶装置へ記憶することを定義する用語である。
「算出」は、計算をして求める場合のみならず、テーブルを参照して求める場合など、ＣＰＵがメモリ等の何らかのハードウェア資源にアクセスして情報を得る場合のすべてを含む概念である。
「物質の含有量、含有率」は、製品等に含まれる物質の含有量、含有率そのもののみでなく、実質的に化学物質や物質群の含有量や含有率を算出できる各種データを含む。
「員数」は、構成体を構成する固体の数を示す。
【発明の効果】
【００２４】
本発明によれば、製品に携わるサプライチェーン上のすべての業者に利便性を与えかつ収集効率を大きく改善することが可能な製品含有物質情報収集装置、製品含有物質情報収集方法、および製品含有物質情報収集プログラムを提供することができる。
【発明を実施するための最良の形態】
【００２５】
本発明の実施態様として、前記階層情報登録管理部が、前記多階層構成の階層ごとに個別に登録可能に構成されている、とすることができる。これにより登録作業が効率的に行える。
【００２６】
また、実施態様として、前記階層情報登録管理部が、前記供給品を特定する情報、前記供給品を構成する構成品（部品・部材）あるいは化学物質を特定する情報、ならびに、該構成品（部品・部材）の員数、含有量あるいは含有率、および前記供給品の質量を登録する供給品情報登録部と、構成品（部品・部材）を特定する情報、構成品（部品・部材）を構成する下位層部品・部材あるいは化学物質を特定する情報、ならびに、該下位層部品・部材の員数、含有量あるいは含有率、および該構成品の質量を登録する構成品情報登録部とを含む、とすることができる。これによれば、供給品を構成する構成品（部品・部材）の階層情報を、各構成品ごとに個別に登録することができるため、多階層構成の一部の情報が不明もしくはデータ未入手であったとしても、明確な情報のみを個別に登録できるため、作業が単純化され、登録作業がはかどる。
【００２７】
ここで、前記供給品情報登録部および構成品情報登録部は、当該層の構成要素となる下位階層の部品・材料、あるいは化学物質をキーワード検索により表示し、選択した部品・材料、あるいは化学物質を構成要素として登録するように構成されている、とすることができる。これによれば、供給品、構成品等の各階層の階層情報を登録する際に、その階層の構成要素となる下位階層の部品・部材リストを検索手段により表示し、その中から選択させることにより、データの入力効率を向上させることができる。
【００２８】
また、実施態様として、前記購入部材基本情報取込管理部が、各階層ごとに階層情報を登録する各階層の情報登録部として、購入部材を特定する情報、前記購入部材を構成する構成品（部品・部材）あるいは化学物質を特定する情報、ならびに、該構成品（部品・部材）の員数、含有量、および該購入部材の質量を登録した情報を一括で取込む購入部材基本情報登録部を含む、とすることができる。これによれば、供給業者の供給品を構成する購入部品・部材の調達先である二次供給業者が調査依頼データに応じて入力した階層情報、環境情報のデータを、購入部材情報として一括で取込むことができる。このように、下位階層部品供給業者にも本ツールを使用してもらうことで、供給業者だけでなくその下位階層部品供給業者の部品・部材情報収集の利便性も向上させることができる。このことによりサプライチェーン上の企業が連なり、情報収集を加速させることが可能となる。
【００２９】
ここで、前記階層情報情報登録管理部または前記購入部材基本情報取込管理部は、前記構成品または前記購入部材の付属情報として任意の情報の付加が可能な構成である、とすることができる。これによれば、供給品、構成品（部品・部材）の含有物質を分析した証となる分析証明書や、使用を禁止されている物質を含有していない証となる不使用証明書、または製品安全データシート（ＭＳＤＳ：Material Safety Data Sheet）などの情報を当該品に付加することができるため、信頼性のあるデータ収集が可能となる。
【００３０】
また、ここで、前記購入部材基本情報取込管理部は、ＪＧＰＳＳＩ形式、あるいはその他外部ファイルでの購入部材の環境情報を取込可能に構成されている、とすることができる。これによれば、二次供給業者が当該部品・部材の環境情報データをＪＧＰＳＳＩ形式で保有しており、かつ当該部品・部材が階層を有さない、例えば原材料のような形態の納入品であった場合に、本データを取込むことができるため、既存情報の有効活用ができ、情報収集を加速させることができる。また、同様に二次供給業者が当該部品・部材の環境情報をその他外部ファイルで管理していた場合も、情報取込みできるため、既存情報の有効活用ができる。
【００３１】
また、実施態様として、前記階層情報登録管理部は、外部ファイルを取込むことが可能な構成である、とすることができる。これによれば、供給業者が所有する生産管理システム（ＰＤＭ：Product Data Management、ＢＯＭ：Bill of Materials）等から出力される外部ファイルの供給品の階層情報をインポートすることが可能となり、二次業者ごとの購入部品・部材情報を登録する手間を省くことが可能となる。
【００３２】
ここで、前記調査依頼データが、マスター情報ファイル、階層情報ファイルを含み、該マスター情報ファイルの供給品リストマスターには二次供給業者より購入している購入部品・部材情報が登録され、前記マスター情報ファイルの物質リストマスターには供給業者向けと同一の物質情報が登録され、前記階層情報ファイルには購入部材の階層情報が登録され得る、とすることができる。これによれば、二次供給業者も本ツールを使用し納入部材の回答ができる。また、二次供給業者より下位層の三次供給業者への調査依頼も同様にできるため調査がはかどる。同様に三次供給業者以降の供給業者も本ツールを使用することで調査・回答が容易となる。このように、サプライチェーン上の企業が本提案の製品含有物質情報収集機能を介して連なることができるため、グリーン調達に係る部品環境情報の収集を加速させることが可能となる。
【００３３】
また、実施態様として、前記供給品情報表示管理部が、前記「供給品−構成品（部品・部材）−物質」の階層情報の出力としてツリービュー表示し、その個々の構成品においてその下位層の合計物質含有量を算出して表示できる、としてもよい。これによれば、供給品の階層情報を構成品（購入品を含む部品・部材）にて構築する際に、現在構成品として登録している部品間の親子関係がツリービュー表示にてイメージ化できるため、登録作業を容易化し、また誤登録を低減させることが可能となる。
【００３４】
また、実施態様として、前記供給品情報表示管理部が、前記供給品リストファイル、前記物質リストファイル、および前記登録された階層情報に基づいて、前記調査依頼データに対応する調査回答データを出力する回答データ出力管理部を含む、としてもよい。これによれば、各層に登録された部品を選択し、その下位層から集計される含有量（含有率）を表示するため、データ値の確認や含有率をチェックすることで含有物質の未登録やデータ欠落も確認することができる。また、上記方法で登録、構築された供給品の階層、環境情報を調査回答データとして出力でき、これをセットメーカに回答できるため、セットメーカでは調査依頼した供給業者からの供給品の階層、環境情報を一括して、自社のグリーン調達システムへ取込むことができる。この際、供給品の回答情報のみをセットメーカに回答するため、例えば、本ツールのデータベースに回答要求のない自社開発部品の環境情報や購入を検討している部材の環境情報を登録してもセットメーカへの回答データとは切り離すことが可能となり供給業者個別で情報管理ができる。上記のように検討段階にある部材の情報登録を可能にさせることで、供給業者において供給品のシミュレーションにも利用でき、環境負荷の低い製品開発の支援も可能としている。
【００３５】
ここで、前記回答データ出力管理部は、外部ファイルを出力することが可能な構成である、とすることができる。これによれば、供給品の階層、環境情報を外部ファイルで出力することができるため、供給業者が所有する生産管理システム（ＰＤＭ：Product Data Management、ＢＯＭ：Bill of Materials）に本情報を取込み、継続的に情報を管理することが可能となり、他納入業者からの同様な問合せに迅速に対応することが可能となる。
【００３６】
以上を踏まえ、以下では本発明の実施形態を図面を参照しながら説明する。説明の簡略化の観点から、各図を通して同等の構成要素には同一の符号を付す。
【００３７】
［実施形態の構成］
［機器構成］
図１は、本発明の一実施形態に係る製品含有物質情報収集装置を実現するための具体的な機器構成の一例を示すブロック図である。図１に示すコンピュータシステムにおいて、供給品構成情報データベース１には、クライアント端末として担当者端末２が接続されている。また、担当者端末にはデータ処理部１００を搭載している。データ処理部１００は、供給品構成情報データベース１を管理するとともに、製品含有情報収集用の入力支援を行い、取得したデータに基づいて、供給品構成情報データベース１中の情報の更新または検索を行う。
【００３８】
担当者端末２は、入出力装置部３として、供給品の環境情報データを入力したり各機能を操作したりするための入力装置４、出力データ等を表示するための表示装置５、および集計結果等を出力するプリンタ６等を備えている。このうち、入力装置４は、キーボードとマウスを有し、表示装置５の画面を用いて操作やデータ入力を行うようになっている。
【００３９】
すなわち、本実施形態においては、担当者端末２のデータ処理部１００上でプログラムＰを実行することにより、このコンピュータシステム中に、情報登録管理部１０１、情報表示管理部１０２を有する製品含有物質情報収集システムＳを構成するようになっている。
【００４０】
［システム構成］
図２は、図１に示す製品含有物質情報収集システムＳのシステム構成として、特に、多階層的な製品構成情報を管理する場合における情報登録管理部１０１と情報表示管理部１０２の構成の詳細を示す機能ブロック図である。
【００４１】
図２に示す製品含有情報収集機能システムＳは、供給品の階層情報、環境情報の管理を実現するものであり、そのために、情報登録管理部１０１は、供給品構成情報データベース１に購入部材情報、マスター情報、階層情報、購入部材基本情報を、それぞれ管理・登録するための購入部材情報管理部１１０、マスター情報管理部１２０、階層情報登録管理部１３０、購入部材基本情報取込管理部１４０を有している。
【００４２】
ここで、「購入部材情報」は、供給品構成情報データベース１に保存される「供給品構成情報」のうち、供給品を構成する下位層部材となる構成品（部品・部材）の購入先の二次供給業者の会社、担当者Ｅ−ＭＡＩＬアドレス等の二次供給業者情報、および調査対象となる供給品を特定する購入部材リスト情報を少なくとも含む。
【００４３】
「マスター情報」は、供給品構成情報データベース１に保存される「供給品構成情報」のうち、調査対象となる供給品に関する供給品リストマスター情報、および調査対象となる化学物質に関する物質リストマスター情報を示している。
【００４４】
「階層情報」は、供給品構成情報データベース１に保存される「供給品構成情報」のうち、供給品の環境情報データ、および該構成を、「供給品−構成品（下位層部品・部材）−物質」という多階層構成により把握し関連付けた供給品から物質に至る各階層の構成に関する階層情報を含む。
【００４５】
「購入部材基本情報」は、調査依頼データ出力管理部１５０により出力されたデータに対し二次供給業者が構成品（部品・部材）の階層構成情報および環境情報を入力して作成される情報であり、供給品構成情報データベース１に保存される「供給品構成情報」のうち「購入部材取込情報」は、これを取り込んで作られた情報である。
【００４６】
また、情報表示管理部１０２は、二次供給業者に調査依頼データを出力する調査依頼データ出力管理部１５０、供給品の構成情報および物質含有量のデータを出力する供給品情報表示管理部１６０を有している。以下に、各管理部１１０、１２０、１３０、１４０、１５０、１６０の詳細について順次説明する。
【００４７】
まず、情報登録管理部１０１の購入部材情報管理部１１０は、供給品を構成する下位層部材となる構成品（部品・部材）の購入先の二次供給業者の会社、担当者Ｅ−ＭＡＩＬアドレス等の二次供給業者情報を登録し、かつ、調査対象となる部材を特定する購入部材を登録する部分である。購入部材情報管理部１１０は、二次供給業者に関する情報を登録する二次供給業者登録部１１１と、調査対象となる購入部材を登録する購入部材リスト登録部１１２とを有する。
【００４８】
情報登録管理部１０１のマスター情報管理部１２０は、調査対象となる供給品に関する供給品リストマスター情報と調査対象となる化学物質に関する物質リストマスター情報を管理する部分である。すなわち、マスター情報管理部１２０は、セットメーカが調査を要求した供給品リストマスター１２１と、調査対象物質の物質リストマスター１２２とを有する。ここで、供給品リストマスター１２１は、セットメーカに回答する必要がある供給品リストである。また、物質リストマスター１２２は、セットメーカが調査対象として物質で回答すべき物質リストである。
【００４９】
情報登録管理部１０１の階層情報登録管理部１３０は、供給品の環境情報データ、および該構成を、「供給品−構成品（下位層部品・部材）−物質」という多階層構成により把握し関連付けて供給品から物質に至る各階層の構成に関する階層情報を登録する部分である。この階層情報登録管理部１３０は、供給品の基本情報、および階層情報、環境情報を登録する供給品情報登録部１３１と、構成品（部品・部材）の基本情報および階層情報、環境情報を登録する構成品情報登録部１３２とを有する。
【００５０】
情報登録管理部１０１の購入部材基本情報取込管理部１４０は、調査依頼データ出力管理部１５０により出力されたデータに対し二次供給業者が構成品（部品・部材）の階層構成情報と環境情報を入力した購入部材情報を登録する部分である。この購入部材基本情報取込管理部１４０は、二次供給業者から入手した購入部材情報を登録する購入部材基本情報登録部１４１を有する。
【００５１】
情報表示管理部１０２の調査依頼データ出力管理部１５０は、購入部材情報管理部１１０により登録された二次供給業者情報および購入部材リスト情報より、二次供給業者ごとにその構成品（部品・部材）を抽出して調査依頼データを出力する部分である。この製品情報表示管理部１５０は、二次供給業者ごとにその構成品（部品・部材）を抽出して調査依頼データを出力する購入部材調査依頼データ出力部１５１を有する。
【００５２】
情報表示管理部１０２の供給品情報表示管理部１６０は、マスター情報管理部１２０および購入部材基本情報取込管理部１４０にて登録された情報を、階層情報登録管理部１３０により登録された階層情報に基づいて、「供給品−構成品（下位層部品・部材）−物質」の構成情報の形式、および物質含有量の算出を伴って表示、データ出力する部分である。この供給品情報表示管理部１６０は、供給品の階層情報、環境情報を表示する供給品情報表示部１６１と、供給品の階層情報、環境情報を出力する供給品回答データ出力部１６２とを有する。
【００５３】
［情報ファイル構成］
図３は、図２中に示す供給品構成情報データベース１の内部に蓄積される情報ファイル構成を、製品含有物質情報収集機能システムＳの各管理部１１０、１２０、１３０、１４０、１５０、１６０との関係を含めて示すブロック図である。
【００５４】
図３に示すように、購入部材情報管理部１１０により、二次供給業者情報ファイル１７１、購入部材リストファイル１７２にそれぞれ登録されるようになっている。また、マスター情報管理部１２０により、供給品リストファイル１８１、物質リストファイル１８２にそれぞれ所定の登録がされる。同様に、階層情報登録管理部１３０により、供給品情報ファイル１９１、構成品情報ファイル１９２にそれぞれ所定の登録がされる。さらに、購入部材基本情報取込管理部１４０により、購入部材基本情報ファイル２０１に所定の登録がされる。
【００５５】
そして、調査依頼データ出力管理部１５０は、二次供給業者情報ファイル１７１、購入部材リストファイル１７２、物質リストファイル１８２の情報を利用して、二次供給業者ごとに供給している部材リストを抽出し、物質リストに基づき、当該部材に含有される物質情報および階層情報を依頼するためのデータ（調査依頼データ）を出力するようになっている。ここで、調査依頼データは、マスター情報ファイル、階層情報ファイルを含み、該マスター情報ファイルの供給品リストマスターには二次供給業者より購入している構成品（部品・部材）情報が登録され、マスター情報ファイルの物質リストマスターには供給業者向けと同一の物質情報が登録され、階層情報ファイルには構成品の階層情報が登録され得る、としてもよい。
【００５６】
また、供給品情報表示管理部１６０は、供給品リストファイル１８１、物質リストファイル１８２、供給品情報ファイル１９１、構成品情報ファイル１９２、購入部材基本情報ファイル２０１の各情報を利用して、供給品の情報表示やセットメーカへの回答データ出力を行うようになっている。ここで、購入部材基本情報ファイル２０１は構成品情報ファイル１９２と同扱いとなる。この場合、供給品情報、構成品情報および購入部材基本情報は、供給品リスト、物質リストの各情報ファイルの階層情報を利用して作成されるようになっている。
【００５７】
これにより、供給品情報表示管理部１６０は、ある供給品について「供給品−構成品（部品・部材）−物質」の階層情報の出力、および該階層情報における物質の含有量の算出を行うことができる。階層情報の出力は、例えばツリービュー表示とすることができ、物質の含有量の算出は、個々の構成品においてその下位層の合計物質含有量を算出して行うとすることができる。供給品情報表示管理部１６０は、上記各情報に基づいて、調査回答データを出力する回答データ出力管理部としての機能を有するようにしてもよい。この回答データ出力管理部は、外部ファイルを出力することが可能な構成であるとしてもよい。
【００５８】
［製品構成情報の階層構成］
図４は、図３に示す階層情報登録管理部１３０により各情報ファイル１９１、１９２に登録される階層情報の階層構成を示す概念図である。図４に示すように、「供給品」は、複数の「部品」や「購入部材」の組合せにより構成される。ここで「部品」は供給業者の内製品を示し、「購入部材」は二次供給業者からの購入品を示している。
【００５９】
図中においては、一例として、１つの「部品」と２つの「購入部材」の組合せにより構成された「供給品」を示しているが、「部品」だけの組合せあるいは「購入部材」だけの組合せあるいは「物質」が直接構成される場合もある。さらに、同一の構成要素、すなわち、同一の「部品」だけの組合せあるいは同一の「購入部材」だけの組合せにより「供給品」が構成される場合もある。また、「部品」は、複数の「部品」や「購入部材」の組合せにより構成されるが、「部品」だけの組合せ、「購入部材」だけの組合せの場合もあり、さらに、同一の構成要素だけの組合せの場合もある。
【００６０】
例えば、「供給品」が自動車用の「ヘッドランプ」である場合に、「ヘッドランプ」は、「インナーレンズ」等の「部品」と、「カプラーコード」等の「購入部材」の組合せにより構成される。そして、「購入部材」である「カプラーコード」は、「カプラー」、「ホルダー」、「電線」、等の「購入部品」の組合せにより構成される。
【００６１】
［システム動作］
図５は、本システムによる動作の概略を示すフローチャートである。ユーザは、図２に示した６つの管理部１１０、１２０、１３０、１４０、１５０、１６０に対応する６種類の機能、すなわち、購入部材情報登録、マスター情報表示、階層情報登録、購入部材基本情報取込、調査依頼データ出力、供給品情報表示、の選択可能なメニューを表示し、支援処理を行う（Ｓ５０１）。
【００６２】
この場合、ユーザから入力完了が指示されるまで（Ｓ５０２のＮ）は、各レベルのメニュー画面あるいはユーザにより選択されたメニューに応じた支援画面を表示して同じレベルの支援処理を継続する（Ｓ５０１）。そして、ユーザから入力完了が指示された時点（Ｓ５０２のＹ）で、そのユーザに対する支援処理を終了する。
【００６３】
図６は、支援処理のサブルーチンを示すフローチャートである。図６に示すように、支援処理においては、購入部材情報登録、マスター情報表示、階層情報登録、購入部材基本情報取込、調査依頼データ出力、供給品情報表示、のメニュー選択に応じた各支援処理をそれぞれ行う。
【００６４】
まず、ユーザによって購入部材情報登録が選択された場合（Ｓ６０１のＹ）には、購入部材情報登録管理部１１０により、二次供給業者登録、購入部材リスト登録等の登録を支援する支援画面を表示して購入部材情報登録支援処理を行う。この支援画面を通じてユーザから「更新データ」等を取得した場合には、購入部材情報の各情報ファイル１７１、１７２を更新する（Ｓ６０２）。ここで、「更新データ」は、更新対象やその更新すべき内容を具体的に示すデータを意味している。
【００６５】
また、ユーザによってマスター情報表示が選択された場合（Ｓ６０３のＹ）には、マスター情報管理部１２０により、表示対象となる供給品リスト、物質リスト等の情報表示を選択させるための支援画面を表示してマスター情報表示支援処理を行う。この支援画面を通じてユーザから「指定データ」等を取得すると、マスター情報の各情報ファイル１８１、１８２を利用して表示データを作成し、ユーザに対して表示する（Ｓ６０４）。ここで、「指定データ」は、出力対象、出力項目、出力形式等を指定する各種のデータを意味している。
【００６６】
ユーザによって階層情報登録が選択された場合（Ｓ６０５のＹ）には、階層情報登録管理部１３０により、各階層の階層情報、すなわち、供給品情報、構成品情報等の登録を支援する支援画面を表示して階層情報登録支援処理を行う。この支援画面を通じてユーザから「更新データ」等を取得すると、製品構成情報の各階層の各情報ファイル１９１、１９２を更新する（Ｓ６０６）。
【００６７】
ユーザによって購入部材基本情報取込が選択された場合（Ｓ６０７のＹ）には、購入部材基本情報取込管理部１４０により、購入部材基本情報等の登録を支援する支援画面を表示して購入部材基本情報取込支援処理を行う。この支援画面を通じてユーザから「更新データ」等を取得すると、購入部材基本情報取込情報の各情報ファイル２０１を更新する（Ｓ６０８）。
【００６８】
ユーザによって調査依頼データ出力が選択された場合（Ｓ６０９のＹ）には、調査依頼データ出力管理部１５０により、出力対象となる調査依頼データ等の情報出力を選択させるための支援画面を表示して調査依頼データ出力支援処理を行う。この支援画面を通じてユーザから「指定データ」等を取得すると、調査依頼データ情報の各情報ファイル１７１、１７２、１８２を利用して表示データを作成し、ユーザに対して出力する（Ｓ６１０）。
【００６９】
ユーザによって供給品情報出力が選択された場合（Ｓ６１１のＹ）には、供給品情報表示管理部１６０により、出力対象となる供給品情報データ、供給品回答データ等の情報出力を選択させるための支援画面を表示して供給品情報出力支援処理を行う。この支援画面を通じてユーザから「指定データ」等を取得すると、供給品情報の各情報ファイル１９１、１９２を利用して表示データを作成し、ユーザに対して出力する（Ｓ６１２）。
【００７０】
［各管理部の動作］
図７ないし図１２は、６つの各管理部、すなわち、購入部材情報管理部１１０、マスター情報管理部１２０、階層情報登録管理部１３０、購入部材基本情報取込管理部１４０、調査依頼データ出力管理部１５０、供給品情報表示管理部１６０による各支援処理の詳細を示すフローチャートである。以下には、これらの図面を参照しながら、各管理部１１０、１２０、１３０、１４０、１５０、１６０による購入部材情報登録支援処理Ｓ６０２、マスター情報表示支援処理Ｓ６０４、階層情報登録支援処理Ｓ６０６、購入部材基本情報取込支援処理Ｓ６０８、調査依頼データ出力支援処理Ｓ６１０、供給品情報表示支援処理Ｓ６１２の詳細について順次説明する。
【００７１】
［購入部材情報登録支援処理］
図７は、図６に示す購入部材情報登録支援処理Ｓ６０２のサブルーチンを示すフローチャートである。図７に示すように、購入部材情報登録管理部１１０による購入部材情報登録支援処理Ｓ６０２においては、登録する情報に応じて、二次供給業者登録、購入部材リスト登録をそれぞれ支援する個別の支援画面を表示して、個別の登録支援処理を行う。
【００７２】
まず、ユーザによって二次供給業者登録が選択された場合（Ｓ７０１のＹ）には、二次供給業者登録部１１１により、二次供給業者の二次供給業者名、二次供給業者コード、所在地、責任者名、担当者名、連絡先、Ｅ−ＭＡＩＬアドレス等の二次供給業者情報を登録する二次供給業者登録画面を表示して二次供給業者登録支援処理を行う。この登録画面を通じてユーザからデータを取得すると、二次供給業者情報ファイル１７１を更新する（Ｓ７０２）。
【００７３】
また、ユーザによって購入部材リスト登録が選択された場合（Ｓ７０３のＹ）には、
購入部材リスト登録部１１２により、購入部材の部材名、部材コード、供給メーカ、備考等の購入部材情報を登録する購入部材リスト登録画面を表示して購入部材リスト登録支援処理を行う。この登録画面を通じてユーザからデータを取得すると、購入部材リスト情報ファイル１７２を更新する（Ｓ７０４）。
【００７４】
この購入部材リスト登録支援処理Ｓ７０４においては、購入部材の部材名、部材コード、供給メーカ、備考等の購入部材リスト情報を登録する購入部材リスト情報登録画面に加えて、その購入部材に、当該部材を納入する二次供給業者を設定、登録する購入部材リスト登録画面等も表示することにより、それらの情報をユーザから取得し、購入部材リスト情報の一部として登録する。なお、購入部材リスト情報登録画面においては、自社の生産管理システム（ＰＤＭ：Product Data Management、ＢＯＭ：Bill of Materials）等から購入部材データをインポートし、データ入力効率を向上させることもできる。
【００７５】
以上のような購入部材情報登録支援処理Ｓ６０２において、ユーザから入力完了が指示されるまで（Ｓ７０５のＮ）は、メニュー画面あるいはユーザにより選択されたメニューに応じた支援画面を表示して購入部材情報登録支援処理Ｓ６０２を継続する（Ｓ７０１〜Ｓ７０４）。そして、ユーザから入力完了が指示された時点（Ｓ７０５のＹ）で、そのユーザに対する購入部材情報支援処理Ｓ６０２を終了する。
【００７６】
［マスター情報表示支援処理］
図８は、図６に示すマスター情報表示支援処理Ｓ６０４のサブルーチンを示すフローチャートである。図８に示すように、マスター情報表示管理部１２０によるマスター情報表示支援処理Ｓ６０４においては、表示する情報に応じて、供給品リスト表示、物質リスト表示をそれぞれ支援する個別の支援画面を表示して、個別の表示支援処理を行う。
【００７７】
まず、ユーザによって供給品リスト表示が選択された場合（Ｓ８０１のＹ）には、供給品リストマスター１２１により、供給品リスト情報表示用の検索条件を入力する供給品リスト情報表示用入力画面を表示して供給品リスト情報表示支援処理を行う。この入力画面を通じてユーザから検索条件を取得すると、これに応じた供給品リスト表示画面を表示する（Ｓ８０２）。
【００７８】
この供給品リスト表示支援処理Ｓ８０２においては、単純な製品検索を行うための「供給品検索ボタン」と、供給品を特定する供給品名、供給品コード、備考等を表示するための「表示ボタン」とを表示するとともに、表示用の検索条件として、検索対象となる供給品名、供給品コード等の選択を促す。そして、例えば、供給品名や供給品コードが指定され、供給品検索ボタンが操作された場合には、供給品リストを表示する。
【００７９】
また、ユーザによって物質リスト情報表示が選択された場合（Ｓ８０３のＹ）には、物質リストマスター１２２により、物質リスト情報表示用の検索条件を入力する物質リスト情報表示用入力画面を表示して物質リスト情報表示支援処理を行う。この入力画面を通じてユーザから検索条件を取得すると、これに応じた物質リスト表示画面を表示する（Ｓ８０４）。
【００８０】
この物質リスト表示支援処理Ｓ８０４においては、単純な物質検索を行うための「物質検索ボタン」と、物質の特定する物質名、ＣＡＳコード、別名、英語名、物理的性質、環境性等を表示するための「表示ボタン」とを表示するとともに、表示用の検索条件として、検索対象となる物質名、ＣＡＳコード、別名、等の選択を促す。そして、例えば、物質名やＣＡＳコードが指定され、物質検索ボタンが操作された場合には、物質リストを表示する。
【００８１】
以上のようなマスター情報表示支援処理Ｓ６０４において、ユーザから入力完了が指示されるまで（Ｓ８０５のＮ）は、メニュー画面あるいはユーザにより選択されたメニューに応じた支援画面を表示してマスター情報表示支援処理Ｓ６０４を継続する（Ｓ８０１〜Ｓ８０４）。そして、ユーザから入力完了が指示された時点（Ｓ８０５のＹ）で、そのユーザに対するマスター表示支援処理Ｓ６０４を終了する。
【００８２】
［階層情報登録支援処理］
図９は、図６に示す階層情報登録支援処理Ｓ６０６のサブルーチンを示すフローチャートである。図９に示すように、階層情報登録管理部１３０による階層情報登録支援処理Ｓ６０６においては、登録する情報に応じて、供給品情報登録、構成品情報登録をそれぞれ支援する個別の支援画面を表示して、個別の登録支援処理を行う。
【００８３】
まず、ユーザによって供給品情報登録が選択された場合（Ｓ９０１のＹ）には、供給品情報登録部１３１により、供給品の質量、重量換算用の単位、供給品を構成する構成品の員数、量等の供給品情報を登録する供給品情報登録画面を表示して供給品情報登録支援処理を行う。この登録画面を通じてユーザからデータを取得すると、供給品情報ファイル１９１を更新する（Ｓ９０２）。
【００８４】
この供給品情報登録支援処理Ｓ９０２においては、供給品登録するメインの供給品情報登録画面に加えて、質量、重量換算用の単位、構成部品名とその員数、量等の供給品基本情報を登録する供給品情報登録画面、および当該供給品の不使用証明や分析証明（任意の情報の一例）などの電子ドキュメントを添付する画面も具備し、それぞれ表示する。ここで、当該層の構成要素となる下位階層の部品・材料、あるいは化学物質をキーワード検索により表示し、選択した部品・材料、あるいは化学物質を構成要素として登録するように構成されていてもよい。
【００８５】
また、ユーザによって構成品情報登録が選択された場合（Ｓ９０３のＹ）には、構成品情報登録部１３２により、構成品の質量、重量換算用の単位、構成品を構成する構成品の員数、量等の構成品情報を登録する構成品情報登録画面を表示して構成品情報登録支援処理を行う。登録画面を通じてユーザからデータを取得すると、構成品情報ファイル１９２を更新する（Ｓ９０４）。
【００８６】
この構成品情報登録支援処理Ｓ９０４においては、構成品登録するメインの構成品情報登録画面に加えて、質量、重量換算用の単位、構成部品名とその員数、量等の構成品基本情報を登録する構成品情報登録画面、および当該構成品の不使用証明や分析証明などの電子ドキュメントを添付する画面も具備し、それぞれ表示する。ここで、当該層の構成要素となる下位階層の部品・材料、あるいは化学物質をキーワード検索により表示し、選択した部品・材料、あるいは化学物質を構成要素として登録するように構成されていてもよい。
【００８７】
以上のような階層情報登録支援処理Ｓ６０６において、ユーザから入力完了が指示されるまで（Ｓ９０５のＮ）は、メニュー画面あるいはユーザにより選択されたメニューに応じた支援画面を表示して階層情報登録支援処理Ｓ６０６を継続する（Ｓ９０１〜Ｓ９０４）。そして、ユーザから入力完了が指示された時点（Ｓ９０５のＹ）で、そのユーザに対する階層情報登録支援処理Ｓ６０６を終了する。なお、階層情報登録管理部１３０は外部ファイルを取込むことが可能な構成としてもよい。
【００８８】
［購入部材基本情報取込支援処理］
図１０は、図６に示す購入部材基本情報取込支援処理Ｓ６０８のサブルーチンを示すフローチャートである。図１０に示すように、購入部材基本情報取込管理部１４０による購入部材基本情報取込支援処理Ｓ６０８においては、購入部材基本情報取込みを支援する支援画面を表示して、取込支援処理を行う。
【００８９】
ユーザによって購入部材基本情報取込が選択されると（Ｓ１００１のＹ）、購入部材基本情報登録部１４１により、購入依頼データ出力管理部１５０より出力し、二次供給業者に購入部材の階層情報、環境情報を入力してもらった購入部材基本情報を取込むための購入部材基本情報取込画面を表示して購入部材基本情報取込支援処理を行う。この登録画面を通じてデータを取得すると、購入部材基本情報ファイル１９１を更新する（Ｓ１００２）。
【００９０】
ここで、購入部材基本情報登録部１４１は、各階層ごとに階層情報を登録する各階層の情報登録部として、購入部材を特定する情報、購入部材を構成する構成品（部品・部材）あるいは化学物質を特定する情報、ならびに、該構成品（部品・部材）の員数、含有量、および該購入部材の質量を登録した情報を一括で取込むように構成してもよい。また、購入部材の付属情報として任意の情報の付加が可能にされていてもよい。さらに、購入部材基本情報取込管理部１４０は、ＪＧＰＳＳＩ形式あるいはその他外部ファイルでの購入部材の環境情報を取込可能に構成されている、としてもよい。
【００９１】
以上のような購入部材基本情報取込支援処理Ｓ６０８において、ユーザから入力完了が指示されるまで（Ｓ１００３のＮ）は、メニュー画面あるいはユーザにより選択されたメニューに応じた支援画面を表示して購入部材基本情報取込支援処理Ｓ６０８を継続する（Ｓ１００１〜Ｓ１００２）。そして、ユーザから入力完了が指示された時点（Ｓ１００３のＹ）で、そのユーザに対する購入部材基本情報取込支援処理Ｓ６０８を終了する。
【００９２】
［調査依頼データ出力支援処理］
図１１は、図６に示す調査依頼データ出力支援処理Ｓ６１０のサブルーチンを示すフローチャートである。図１１に示すように、調査依頼データ出力管理部１５０による調査依頼データ出力支援処理Ｓ６１０においては、調査依頼データ出力を支援する支援画面を表示して、データ出力支援処理を行う。
【００９３】
まず、ユーザによって調査依頼データ出力が選択された場合（Ｓ１１０１のＹ）には、購入部材調査依頼データ出力部１５１により、二次供給業者の購入部材リストを表示する購入部材調査依頼データ出力画面を表示して購入部材調査依頼データ出力支援処理を行う。この出力画面を通じてユーザがデータを指定すると、購入部材調査依頼データファイルを出力する（Ｓ１１０２）。
【００９４】
以上のような調査依頼データ出力支援処理Ｓ６１０において、ユーザから入力完了が指示されるまで（Ｓ１１０３のＮ）は、メニュー画面あるいはユーザにより選択されたメニューに応じた支援画面を表示して調査依頼データ出力支援処理Ｓ６１０を継続する（Ｓ１１０１〜Ｓ１１０２）。そして、ユーザから入力完了が指示された時点（Ｓ１１０３のＹ）で、そのユーザに対する調査依頼データ出力支援処理Ｓ６１０を終了する。
【００９５】
［供給品情報表示支援処理］
図１２は、図６に示す供給品情報表示支援処理Ｓ６１２のサブルーチンを示すフローチャートである。図１２に示すように、供給品情報表示管理部１６０による供給品情報表示支援処理Ｓ６１２においては、供給品情報表示を支援する支援画面を表示して、供給品情報表示支援処理を行う。
【００９６】
まず、ユーザによって供給品情報表示が選択された場合（Ｓ１２０１のＹ）には、供給品情報表示部１６１により、供給品情報を表示する供給品情報表示画面を表示して供給品情報表示支援処理を行う。この表示画面を通じてユーザがデータを指定すると、供給品情報を表示する（Ｓ１２０２）。
【００９７】
また、ユーザによって供給品回答データ出力が選択された場合（Ｓ１２０３のＹ）には、供給品回答データ出力１６２により、供給品回答データ情報を表示する供給品回答データ情報表示画面を表示して供給品回答データ出力支援処理を行う。この表示画面を通じてユーザがデータを指定すると、供給品回答データを出力する（Ｓ１２０４）。
【００９８】
以上のような供給品情報表示支援処理Ｓ６１２において、ユーザから入力完了が指示されるまで（Ｓ１２０５のＮ）は、メニュー画面あるいはユーザにより選択されたメニューに応じた支援画面を表示して供給品情報表示支援処理Ｓ６１２を継続する（Ｓ１２０１〜Ｓ１２０４）。そして、ユーザから入力完了が指示された時点（Ｓ１２０５のＹ）で、そのユーザに対する供給品情報表示支援処理Ｓ６１２を終了する。
【００９９】
［実施形態の作用効果］
以上のような構成を有する本実施形態によれば、以下のような各種の作用効果が得られる。適宜、図１４を参照願いたい。図１４は、上記実施形態に係る製品含有物質情報装置による回答ルーチンを示す概念図である。
【０１００】
［階層情報収集、調査物質の自由度向上］
上位層メーカ（セットメーカ）において、自社製品を構成する供給業者からの供給品に対し、供給業者ごとにその供給品を抽出し供給品リストを作成、またセットメーカにより選択された物質リストを合わせ、供給業者に供給品のデータ依頼を行うことで、供給品ごとにその自社が管理したい物質含有有無などの環境情報や階層情報の収集ができる。また、物質リストはセットメーカが自由に選択できるため、必要最小限の物質に絞り込んでの調査依頼が可能となり、供給業者の調査に要する負担を低減させることができる。
【０１０１】
［供給業者の利便性向上］
次に、供給業者が供給品を構成する下位層部材となる購入部品・部材購入先の二次供給業者の会社、担当者Ｅ−ＭＡＩＬアドレス等の情報を登録することができ、また、調査対象となる購入部品・部材を登録できるため、二次供給業者ごとの部品・部材抽出が容易になる。このため、二次供給業者ごとに部品を振り分ける必要がなくなり、個別に調査フォームに入力する手間が不要となるため、一度に二次供給業者ごとに購入部品・部材の調査依頼を行うことができる。この際、二次供給業者の担当者Ｅ−ＭＡＩＬアドレスが登録されていれば、メーラーを起動し、メールの添付ファイルとし調査依頼フォームを送付することができる。
【０１０２】
さらに、二次供給業者が回答した部品・部材の階層構成情報、および環境情報を取込むことができるため、入手したデータを個別に加工し登録することなく、供給品の構成品としてインポートでき作業効率が向上される。加えて、供給品リストに構成される構成品（下位層部品・部材）の階層情報、および物質の含有情報を登録できるようにしたため、供給品の供給品構成情報データベースを構築することができ、この供給品構成情報データベースに登録された情報を用いることで、供給品ごとの階層情報、環境情報を出力することができる。
【０１０３】
［登録作業効率の向上］
供給品を構成する構成品（下位層部品・部材）の階層情報を、各構成品ごとに個別に登録することができる構成としたため、階層構成の一部の情報が不明もしくはデータ未入手であったとしても、明確な情報から個別に登録作業を開始できるようになり、作業が単純化され、登録作業がはかどる。
【０１０４】
また、供給品、構成品、等の各階層の階層情報を登録する際に、その階層の構成要素となる下位階層の部品・部材リストを検索手段により表示し、その中から選択させるようにしているため、データの入力効率が向上する。さらに、構成情報登録の際は必要となる当該構成品の員数、量情報、あるいは当該物質の含有率、目的、用途、部位情報の登録を促すことで、必須情報の欠落がない配慮も可能となる。
【０１０５】
［情報収集の効率化］
供給業者の供給品を構成する購入部品・部材の調達先である二次供給業者に予め本製品含有物質情報収集機能（プログラム）を配布し、送付した部品・部材の調査依頼データに階層情報、環境情報を入力してもらい、当該データを購入部材情報として取込むことができる構成としている。このように、下位階層部品供給業者でも本ツールを使用してもらうことで、図１３に示すような供給業者だけでなくその下位階層部品供給業者の部品・部材情報収集の利便性も向上させることができる。このことによりサプライチェーン上の企業が連なり、情報収集を加速させることが可能となる。
【０１０６】
［任意の情報付加］
供給品、構成品（部品・部材）の含有物質を分析した証となる分析証明書、使用を禁止されている物質を含有していない証となる不使用証明書、または製品安全データシート（ＭＳＤＳ：Material Safety Data Sheet）などの任意の情報を当該品に付加することができるようにしたため、信頼性のあるデータ収集が可能となる。
【０１０７】
［データ資源の有効活用１］
二次供給業者が当該部品・部材の環境情報データをＪＧＰＳＳＩ形式で保有しており、かつ当該部品・部材が階層を有さない、例えば原材料のような形態の納入品であった場合でも、本データを取込むことができるため、既存情報の有効活用ができ、情報収集を加速させることができる。また、同様に二次供給業者が当該部品・部材の環境情報を外部ファイルで管理していた場合も、情報取込みできるため、既存情報の有効活用ができる。
【０１０８】
［データ資源の有効活用２］
供給業者が所有する生産管理システム（ＰＤＭ：Product Data Management、ＢＯＭ：Bill of Materials）等から出力される供給品の階層情報（外部ファイル）をインポートすることが可能となり、二次業者ごとの購入部品・部材情報を登録する手間を省くことが可能となる。
【０１０９】
［サプライチェーン］
二次供給業者も本提案製品含有物質情報収集機能（プログラム）を使用し納入部材の回答ができる。また、二次供給業者より下位層の三次供給業者への調査依頼も同様にできるため調査がはかどる。同様に三次供給業者以降の供給業者も本ツールを使用することで調査・回答が容易となる。図１３に示すように、サプライチェーン上の企業が本提案の製品含有物質情報収集機能を介して連なることができるため、グリーン調達に係る部品環境情報の収集を加速させることが可能となる。
【０１１０】
［階層情報のイメージ化］
供給品の階層情報を構成品（購入品を含む部品・部材）にて構築する際に、現在構成品として登録している部品間の親子関係がツリービュー表示にてイメージ化できるため、登録作業を容易化し、また誤登録を低減させることが可能となる。また、各層に登録された部品を選択し、その下位層から集計される含有量（含有率）を表示するため、データ値の確認や含有率をチェックすることで含有物質の未登録やデータ欠落も確認することができる。
【０１１１】
［データ有効活用・シミュレーション利用］
上記方法で登録、構築された供給品の階層、環境情報を調査回答データとして出力でき、これをセットメーカに回答できるため、セットメーカでは調査依頼した供給業者からの供給品の階層、環境情報を一括して、自社のグリーン調達システムへ取込むことができる。この際、供給品の回答情報のみをセットメーカに回答するため、例えば、本ツールのデータベースに回答要求のない自社開発部品の環境情報や購入を検討している部材の環境情報を登録してもセットメーカへの回答データとは切り離すことが可能となり供給業者個別で情報管理ができる。上記のように検討段階にある部材の情報登録を可能にさせることで、供給業者において供給品のシミュレーションにも利用でき、環境負荷の低い製品開発の支援も可能としている。
【０１１２】
［データ連携、データ最大利用］
また、供給品の階層、環境情報をＣＳＶ形式で出力することができるため、供給業者が所有する生産管理システム（ＰＤＭ：Product Data Management、ＢＯＭ：Bill of Materials）に本情報を取込み、継続的に情報を管理することが可能となり、他納入業者からの同様な問合せに迅速に対応することが可能となる。
【０１１３】
［変形例］
図１５は、図９に示す階層情報登録支援処理Ｓ６０６の変形例を示すフローチャートである。この階層情報登録支援処理においては、複数の担当者がデータの同時登録を可能とする。具体的には担当者Ａが、供給品構成データベース取込を選択した場合（Ｓ１３０１Ｙ）に、担当者Ｂがデータを登録した供給品構成データベース情報を取込み、データの差分を判断し、データの統合・登録の支援を行う（Ｓ１３０２）。
【０１１４】
部品データの登録は担当機種に対して複数人の作業者がそれぞれ実施することが考えられる。この場合、登録作業は同時進行で行い作業の効率を高めたい。この変形例の供給品構成データベース取込支援により、複数人の登録作業を可能とした。具体的には、複数人の作業者に本ツール、および調査依頼データを配布し、各人が各々作業を実施、各人のデータ登録作業が完了した時点で、代表者が本ツールにより各人の登録データ（供給品構成データベース情報）をアップロードし、データの差分情報を判定しながら情報を更新していくため、最新のデータを生成することができる。
【０１１５】
［他の実施形態］
なお、本発明は、前述した実施形態に限定されるものではなく、本発明の範囲内で他にも多種多様な形態が実施可能である。例えば、供給品構成情報の具体的なデータ構造、購入部材情報管理部、マスター情報管理部、階層情報登録管理部、購入部材基本情報取込管理部等の各機能部の具体的な構成や支援処理の内容等は、企業の具体的な業務形態や生産する製品の具体的な構成等に応じて異なってくる。
【図面の簡単な説明】
【０１１６】
【図１】本発明の一実施形態に係る製品含有物質情報収集装置を実現するための具体的なコンピュータシステムの一例を示すブロック図。
【図２】図１に示す製品含有物質情報収集システムＳのシステム構成の詳細を示す機能ブロック図。
【図３】図２中に示す供給品構成情報データベース１に蓄積される情報ファイル構成を、製品含有物質情報収集システムＳの各管理部との関係を含めて示すブロック図。
【図４】図３に示す階層情報登録管理部１３０により各情報ファイルに登録される階層情報の階層構成を示す概念図。
【図５】図１に示す製品含有物質情報収集装置による動作の概略を示すフローチャート。
【図６】図５に示す支援処理のサブルーチンを示すフローチャート。
【図７】図６に示す購入部材情報登録支援処理のサブルーチンを示すフローチャート。
【図８】図６に示すマスター情報登録支援処理のサブルーチンを示すフローチャート。
【図９】図６に示す階層情報登録支援処理のサブルーチンを示すフローチャート。
【図１０】図６に示す購入部材基本情報取込支援処理のサブルーチンを示すフローチャート。
【図１１】図６に示す調査依頼データ出力支援処理のサブルーチンを示すフローチャート。
【図１２】図６に示す供給品情報表示支援処理のサブルーチンを示すフローチャート。
【図１３】グリーンサプライチェーン概念図。
【図１４】製品含有物質情報収集システムによる回答ルーチンを示す概念図。
【図１５】図９に示す階層情報登録支援処理の変形例を示すフローチャート。
【図１６】メーカ間の階層的な部材調達関係を示す概念図。
【図１７】従来のデータ回答ルーチンを示す概念図。
【符号の説明】
【０１１７】
１…供給品構成情報データベース、２…担当者端末、３…入出力装置部、４…入力装置、５…表示装置、６…プリンタ、１００…データ処理部、１０１…情報登録管理部、１０２…情報表示管理部、１１０…購入部材情報管理部、１１１…二次供給業者登録部、１１２…購入部材リスト登録部、１２０…マスター情報管理部、１２１…供給品リストマスター、１２２…物質リストマスター、１３０…階層情報登録管理部、１３１…供給品情報登録部、１３２…構成品情報登録部、１４０…購入部材基本情報取込管理部、１４１…購入部材基本情報登録部、１５０…調査依頼データ出力管理部、１５１…購入部材調査依頼データ出力部、１６０…供給品情報表示管理部、１６１…供給品情報表示部、１６２…供給品回答データ出力部、１７１，１７２，１８１，１８２，１９１，１９２，２０１…情報ファイル、ＤＢ…供給品構成情報データベース、ＤＢ１…購入部材情報データベース、ＤＢ２…マスター情報データベース、ＤＢ３…階層情報データベース、ＤＢ４…購入部材取込情報データベース、Ｐ…プログラム、Ｓ…製品含有物質情報収集システム。
【図１】
2007018384.tif 000003
【図２】
2007018384.tif 000004
【図３】
2007018384.tif 000005
【図４】
2007018384.tif 000006
【図５】
2007018384.tif 000007
【図６】
2007018384.tif 000008
【図７】
2007018384.tif 000009
【図８】
2007018384.tif 000010
【図９】
2007018384.tif 000011
【図１０】
2007018384.tif 000012
【図１１】
2007018384.tif 000013
【図１２】
2007018384.tif 000014
【図１３】
2007018384.tif 000015
【図１４】
2007018384.tif 000016
【図１５】
2007018384.tif 000017
【図１６】
2007018384.tif 000018
【図１７】
2007018384.tif 000019